【手続補正書】
【提出日】平成27年2月27日(2015.2.27)
【手続補正１】
【補正対象書類名】特許請求の範囲
【補正対象項目名】全文
【補正方法】変更
【補正の内容】
【特許請求の範囲】
【請求項１】
評価対象に対して評価が掲載された文書を収集する収集手段と、
前記収集手段によって収集した文書に含まれるリンクを取得する取得手段と、
前記取得手段によって取得したリンク先のサイトの文書内容を用いて、リンク元の前記文書の評価対象を特定する特定手段と、
を備えたことを特徴とする情報処理装置。
【請求項２】
前記特定手段によって前記リンク先のサイトに基づいて、前記リンク元の前記文書の評価対象を特定できない場合、前記取得手段は、前記リンク先のサイトの前記文書からリンクを取得することを特徴とする請求項１に記載の情報処理装置。
【請求項３】
評価対象を特定するための特定サイトを記憶する記憶手段を備え、
前記特定手段は、リンク先が前記記憶手段に記憶された特定サイトである場合に、当該特定サイトの文書内容を用いて、リンク元の前記文書の評価対象を特定することを特徴とする請求項１または２に記載の情報処理装置。
【請求項４】
前記取得手段は、リンク先のサイトが前記記憶手段に記憶された特定サイトでない場合は、前記リンク先のサイトの前記文書からリンクを取得することを特徴とする請求項３に記載の情報処理装置。
【請求項５】
前記特定手段は、前記取得手段によって取得したリンク先のサイトの前記文書が、リンク元の前記文書に対して外部のサイトである場合に、前記リンク元の前記文書の評価対象を特定することを特徴とする請求項１乃至４の何れか１項に記載の情報処理装置。
【請求項６】
前記取得手段は、リンク先のサイトの文書におけるリンクを取得する回数が所定回数に至るまで、前記リンク先のサイトに基づいて、前記リンク元の前記文書の評価対象を特定できない場合は、前記リンク先のサイトの前記文書からリンクを取得することを特徴とする請求項２乃至５の何れか１項に記載の情報処理装置。
【請求項７】
前記取得手段は、リンク先のサイトの文書におけるリンクを取得する回数が所定回数に至るまで、前記リンク先のサイトが前記記憶手段に記憶された特定サイトでない場合は、前記リンク先のサイトの前記文書からリンクを取得することを特徴とする請求項３乃至５の何れか１項に記載の情報処理装置。
【請求項８】
前記特定手段は、前記取得手段によって取得するリンク先のサイトの前記文書とリンク元の前記文書との関連度を用いて、前記リンク元の前記文書の評価を行うことを特徴とする請求項１乃至７の何れか１項に記載の情報処理装置。
【請求項９】
前記特定手段は、前記取得手段によって取得するリンク先のサイトが、リンク元の前記文書に対して外部サイトである当該リンク先のリンクの数によって求まる前記関連度を用いて、前記リンク元の前記文書の評価を行うことを特徴とする請求項８に記載の情報処理装置。
【請求項１０】
前記特定手段は、前記取得手段によって取得するリンク先のサイトの文書内容と、リンク元の文書内容とから求まる関連度を用いて、前記得リンク元の前記文書の評価を行うことを特徴とする請求項８または請求項９に記載の情報処理装置。
【請求項１１】
前記特定手段は、前記取得手段によってリンクが取得できない場合、前記リンク元の文書内容を用いて、前記リンク元の前記文書の評価を行うことを特徴とする請求項６または請求項１乃至１０の何れか１項に記載の情報処理装置。
【請求項１２】
評価の依頼を行うためのクライアント端末とネットワークを介して接続された情報処理装置からなる情報処理システムであって、
前記情報処理装置は、
前記クライアント端末から評価の依頼を受付けると、評価対象に対して評価が掲載された文書を収集する収集手段と、
前記収集手段によって収集した文書に含まれるリンクを取得する取得手段と、
前記取得手段によって取得したリンク先のサイトの文書内容を用いて、リンク元の前記文書の評価対象を特定する特定手段と、
前記特定手段によって評価対象が特定された文書に関する特定情報をクライアント端末へ送信する送信手段と、
を備え、
前記クライアント端末は、
前記送信手段によって送信された特定情報を受信する受信手段と、
前記受信手段によって受信した特定情報を出力する出力手段と、
を備えたことを特徴とする情報処理システム。
【請求項１３】
情報処理装置における評価分析方法であって、
前記情報処理装置の収集手段は、評価対象に対して評価が掲載された文書を収集する収集ステップ、
前記情報処理装置の取得手段は、前記収集ステップによって収集した文書に含まれるリンクを取得する取得ステップ、
前記情報処理装置の特定手段は、前記取得ステップによって取得したリンク先のサイトの文書内容を用いて、リンク元の前記文書の評価対象を特定する特定ステップ、
を含むことを特徴とする評価分析方法。
【請求項１４】
評価分析を行う情報処理装置において読取実行可能なプログラムであって、
前記情報処理装置を、
評価対象に対して評価が掲載された文書を収集する収集手段と、
前記収集手段によって収集した文書に含まれるリンクを取得する取得手段と、
前記取得手段によって取得したリンク先のサイトの文書内容を用いて、リンク元の前記文書の評価対象を特定する特定手段と、
して機能させることを特徴とするプログラム。
【請求項１５】
評価の依頼を行うためのクライアント端末とネットワークを介して接続された情報処理装置からなる情報処理システムの制御方法であって、
前記情報処理装置は、
前記クライアント端末から評価の依頼を受付けると、評価対象に対して評価が掲載された文書を収集する収集ステップと、
前記収集ステップによって収集した文書に含まれるリンクを取得する取得ステップと、
前記取得ステップによって取得したリンク先のサイトの文書内容を用いて、リンク元の前記文書の評価対象を特定する特定ステップと、
前記特定ステップによって評価対象が特定された文書に関する特定情報をクライアント端末へ送信する送信ステップと、
を実行し、
前記クライアント端末は、
前記送信ステップによって送信された特定情報を受信する受信ステップと、
前記受信ステップによって受信した特定情報を出力する出力ステップと、
を実行することを特徴とする情報処理システムの制御方法。
【請求項１６】
評価の依頼を行うためのクライアント端末とネットワークを介して接続された情報処理装置からなる情報処理システムで読取実行可能なプログラムあって、
前記情報処理装置を、
前記クライアント端末から評価の依頼を受付けると、評価対象に対して評価が掲載された文書を収集する収集手段と、
前記収集手段によって収集した文書に含まれるリンクを取得する取得手段と、
前記取得手段によって取得したリンク先のサイトの文書内容を用いて、リンク元の前記文書の評価対象を特定する特定手段と、
前記特定手段によって評価対象が特定された文書に関する特定情報をクライアント端末へ送信する送信手段と、
して機能させ、
前記クライアント端末を、
前記送信手段によって送信された特定情報を受信する受信手段と、
前記受信手段によって受信した特定情報を出力する出力手段と、
して機能させることを特徴とするプログラム。
【手続補正２】
【補正対象書類名】明細書
【補正対象項目名】００１１
【補正方法】変更
【補正の内容】
【００１１】
そこで、本発明においては、企業や製品等に関する意見や評価等を分析するにあたり、その意見や評価等の対象を適切に特定することで、妥当な評価を行うことの支援をすることが可能な情報処理装置、情報処理システム、評価分析方法、制御方法、及びプログラムを提供することを目的とする。
【手続補正３】
【補正対象書類名】明細書
【補正対象項目名】００１２
【補正方法】変更
【補正の内容】
【００１２】
上記目的を達成するための第１の発明は、評価対象に対して評価が掲載された文書を収集する収集手段と、前記収集手段によって収集した文書に含まれるリンクを取得する取得手段と、前記取得手段によって取得したリンク先のサイトの文書内容を用いて、リンク元の前記文書の評価対象を特定する特定手段と、を備えたことを特徴とする情報処理装置である。
【手続補正４】
【補正対象書類名】明細書
【補正対象項目名】００１３
【補正方法】変更
【補正の内容】
【００１３】
上記目的を達成するための第２の発明は、評価の依頼を行うためのクライアント端末とネットワークを介して接続された情報処理装置からなる情報処理システムであって、前記情報処理装置は、前記クライアント端末から評価の依頼を受付けると、評価対象に対して評価が掲載された文書を収集する収集手段と、前記収集手段によって収集した文書に含まれるリンクを取得する取得手段と、前記取得手段によって取得したリンク先のサイトの文書内容を用いて、リンク元の前記文書の評価対象を特定する特定手段と、前記特定手段によって評価対象が特定された文書に関する特定情報をクライアント端末へ送信する送信手段と、を備え、前記クライアント端末は、前記送信手段によって送信された特定情報を受信する受信手段と、前記受信手段によって受信した特定情報を出力する出力手段と、を備えたことを特徴とする情報処理システムである。
【手続補正５】
【補正対象書類名】明細書
【補正対象項目名】００１４
【補正方法】変更
【補正の内容】
【００１４】
上記目的を達成するための第３の発明は、情報処理装置における評価分析方法であって、前記情報処理装置の収集手段は、評価対象に対して評価が掲載された文書を収集する収集ステップ、前記情報処理装置の取得手段は、前記収集ステップによって収集した文書に含まれるリンクを取得する取得ステップ、前記情報処理装置の特定手段は、前記取得ステップによって取得したリンク先のサイトの文書内容を用いて、リンク元の前記文書の評価対象を特定する特定ステップ、を含むことを特徴とする評価分析方法である。
【手続補正６】
【補正対象書類名】明細書
【補正対象項目名】００１５
【補正方法】変更
【補正の内容】
【００１５】
上記目的を達成するための第４の発明は、評価分析を行う情報処理装置において読取実行可能なプログラムであって、前記情報処理装置を、評価対象に対して評価が掲載された文書を収集する収集手段と、前記収集手段によって収集した文書に含まれるリンクを取得する取得手段と、前記取得手段によって取得したリンク先のサイトの文書内容を用いて、リンク元の前記文書の評価対象を特定する特定手段と、して機能させることを特徴とするプログラムである。
【手続補正７】
【補正対象書類名】明細書
【補正対象項目名】００１６
【補正方法】変更
【補正の内容】
【００１６】
上記目的を達成するための第５の発明は、評価の依頼を行うためのクライアント端末とネットワークを介して接続された情報処理装置からなる情報処理システムの制御方法であって、前記情報処理装置は、前記クライアント端末から評価の依頼を受付けると、評価対象に対して評価が掲載された文書を収集する収集ステップと、前記収集ステップによって収集した文書に含まれるリンクを取得する取得ステップと、前記取得ステップによって取得したリンク先のサイトの文書内容を用いて、リンク元の前記文書の評価対象を特定する特定ステップと、前記特定ステップによって評価対象が特定された文書に関する特定情報をクライアント端末へ送信する送信ステップと、を実行し、前記クライアント端末は、前記送信ステップによって送信された特定情報を受信する受信ステップと、前記受信ステップによって受信した特定情報を出力する出力ステップと、を実行することを特徴とする情報処理システムの制御方法である。
【手続補正８】
【補正対象書類名】明細書
【補正対象項目名】００１７
【補正方法】変更
【補正の内容】
【００１７】
上記目的を達成するための第６の発明は、評価の依頼を行うためのクライアント端末とネットワークを介して接続された情報処理装置からなる情報処理システムで読取実行可能なプログラムあって、前記情報処理装置を、前記クライアント端末から評価の依頼を受付けると、評価対象に対して評価が掲載された文書を収集する収集手段と、前記収集手段によって収集した文書に含まれるリンクを取得する取得手段と、前記取得手段によって取得したリンク先のサイトの文書内容を用いて、リンク元の前記文書の評価対象を特定する特定手段と、前記特定手段によって評価対象が特定された文書に関する特定情報をクライアント端末へ送信する送信手段と、して機能させ、前記クライアント端末を、前記送信手段によって送信された特定情報を受信する受信手段と、前記受信手段によって受信した特定情報を出力する出力手段と、して機能させることを特徴とするプログラムである。